(57)【要約】      （修正有）【課題】発芽率および収穫量を改善するのみならず、得られた植物の生長を促進する種子コーティング方法を特に生物量を発達させ、増大させる方法および種子コーティング組成物を提供する。【解決手段】０．００５〜３の置換度を有し、約１００，０００ダルトン〜３，５００，０００ダルトンの平均分子量を有するカチオン性グアーを含む組成物で植物の種子をコーティングすることにより植物の生長を増大させかつ成熟させる方法。【選択図】なし【特許請求の範囲】
【請求項１】
植物の生長を増大させる方法であって、少なくともカチオン性グアーを含む組成物で前記植物の種子をコーティングする、少なくとも１つの工程を含む方法。
【請求項２】
少なくとも次の工程：
ａ）少なくともカチオン性グアーを含む組成物で植物の種子をコーティングする工程、および
ｂ）前記コーティングした種子を土壌の上または中に播く工程
を含む、請求項１に記載の方法。
【請求項３】
少なくとも次の工程：
ａ）生の、またはコーティングされていない種子を土壌の穴に埋め込む工程、および
ｂ）少なくともカチオン性グアーを含むコーティング組成物を、前記種子を囲むように、または部分的に囲むように前記穴の中へ施す工程
を含む、請求項１に記載の方法。
【請求項４】
種子は、トウモロコシ、コムギ、モロコシ、ダイズ、トマト、カリフラワー、ダイコン、キャベツ、キャノーラ、レタス、ライグラス、草、コメ、綿およびヒマワリからなる群から選択される、請求項１〜３のいずれか一項に記載の方法。
【請求項５】
カチオン性グアーは、カチオン性エーテル化剤を使用して得られる、請求項１〜４のいずれか一項に記載の方法。
【請求項６】
カチオン性グアーは、カチオン性エーテル化剤として第四級アンモニウム塩を使用して得られる、請求項１〜５のいずれか一項に記載の方法。
【請求項７】
第四級アンモニウム塩は、３−クロロ−２−ヒドロキシプロピルトリメチルアンモニウムクロリド、２，３−エポキシプロピルトリメチルアンモニウムクロリド、およびジアルキルジメチルアンモニウムクロリドからなる群から選択される、請求項６に記載の方法。
【請求項８】
カチオン性グアーは、
−  カチオン性ヒドロキシエチルグアー（ＨＥグアー）、カチオン性ヒドロキシプロピルグアー（ＨＰグアー）、カチオン性ヒドロキシブチルグアー（ＨＢグアー）などのカチオン性ヒドロキシアルキルグアー、ならびに
−  カチオン性カルボキシメチルグアー（ＣＭグアー）、カチオン性カルボキシルプロピルグアー（ＣＰグアー）およびカチオン性カルボキシルブチルグアー（ＣＢグアー）などのカチオン性アルキルカルボキシグアー、カルボキシメチルヒドロキシプロピルグアー（ＣＭＨＰグアー）などのカチオン性カルボキシルアルキルグアー
からなる群から選択される、請求項１〜７のいずれか一項に記載の方法。
【請求項９】
カチオン性グアーは、ヒドロキシプロピルトリモニウムクロリドグアーである、請求項１〜８のいずれか一項に記載の方法。
【請求項１０】
カチオン性グアーは、０．００５〜３の置換度を有する、請求項１〜９のいずれか一項に記載の方法。
【請求項１１】
カチオン性グアーは、約１００，０００ダルトン〜３，５００，０００ダルトンの平均分子量を有する、請求項１〜１０のいずれか一項に記載の方法。
【請求項１２】
前記種子コーティング組成物はまた、バインダーを含む、請求項１〜１１のいずれか一項に記載の方法。
【請求項１３】
前記種子コーティング組成物はまた、活性成分を含む、請求項１〜１２のいずれか一項に記載の方法。
【請求項１４】
前記種子コーティング組成物はまた、植物用生物刺激剤を含む、請求項１〜１３のいずれか一項に記載の方法。
【発明の詳細な説明】
【技術分野】
【０００１】
本発明は、植物の生長を増大させる方法であって、少なくともカチオン性グアーを含む組成物で前記植物の種子をコーティングすることにより、特にその生物量を発達させ、かつ成熟させる方法に関する。本発明はまた、そのような方法に使用する種子コーティング組成物に関する。
【背景技術】
【０００２】
経済的要求、環境への配慮および生態学的考察から、農業従事者は、農法を絶えず改善することが求められている。経済的要求として、農業従事者は、最大の収穫量を得るために、環境に考慮して毒性がより低い化学薬品をより少なく使用しつつ、最も費用効率が高い方法を用いることが求められる。最後に、生態学的考察は、総合的な害虫管理システムをもたらしたが、これはさらに、農業従事者が、今日の市場で一般的な経済的制約の中で、作物の収穫量と品質を生み出すことができるかどうかをさらに問うものである。
【０００３】
植物、土壌および種子の処理は、今日の市場のほぼ全ての商品作物で行われている。この強化農業の時代においては、収穫量および品質をより高めるため、種子が改質される。
【０００４】
例を挙げれば、国際特許出願の国際公開第２００４／０７１１９５号パンフレットに、収穫量の増大と作物の発芽を促進する方法であって、前記作物の種子もしくは種子の一片に、または前記作物を栽培する土壌に、ポリサッカライドを含む組成物を投与することを含む方法が開示されている。米国特許第５５５４４４５号明細書には、微結晶キトサンを分散液の形態で使用して、高い粘着性、浸透性、生分解性および生理活性を有する膜を種子表面に形成する種子被覆法が記載されている。種子の被覆方法は、種子、被覆剤ならびに／または任意選択により併用する染料および／もしくは栄養剤の混合物で種子に一様なコーティングを設けることからなる。しかしながら、発芽する植物数は増加し得るものの、生長に大きな改善が見られないため、この先行技術に記載の発芽力は明らかに不十分である。
【０００５】
したがって、発芽率および収穫量を改善するのみならず、得られた植物の生長を促進する、特に生物量を発達させ、増大させる方法を実施する必要がある。
【０００６】
今や、先行技術に記載の種子の処理では得ることができなかった、植物の生長促進、特に生物量を発達させ、かつ成熟させる種子の処理を行うことができるようである。種子の処理はまた、灌漑が不十分な条件下でも、莢の数、穀粒の重さおよび大きさ、根の長さ、並びに栽培した植物の全体的な収量を増大させる。
【発明の概要】
【課題を解決するための手段】
【０００７】
したがって本発明は、植物の生長を増大させる方法であって、少なくともカチオン性グアーを含む組成物で前記植物の種子をコーティングする、少なくとも１つの工程を含む方法に関する。本発明はまた、植物の生長を増大させる方法であって、少なくともカチオン性グアーを含む組成物を前記植物の種子に施すことを含む方法に関する。
【０００８】
第１の実施形態では、本発明はまた、植物の生長を増大させる方法であって、第１の工程で、少なくともカチオン性グアーを含む組成物で前記植物の種子をコーティングし、その後、第２の工程で、特に、コーティングした種子を地面と接触させるために、コーティングした種子を土壌の上または中に播くことによって植物の生長を増大させる方法に関する。他の実施形態では、本発明はまた、植物の生長を増大させる方法であって、特に、生の、またはコーティングされていない植物種子を土壌の穴に埋め込み、その後、少なくともカチオン性グアーを含むコーティング組成物を、種子を囲むように、または部分的に囲むように穴の中へ施すことにより、土壌の上、または中で「その場コーティング」を完全に行うことができる方法に関する。したがって、本発明はまた、植物の生長を増大させる方法であって、少なくともカチオン性グアーを含む組成物を、前記作物が栽培される土壌に施すことを含む方法に関する。
【０００９】
従来の商業的に入手可能な塗布装置を使用して、容易に実施でき、かつ容易に塗布できる方法を提供することもまた、本発明の目的である。
【００１０】
カチオン性グアーを含む本発明の方法はまた、発芽率および植物の生長に悪影響を及ぼす殺菌剤および除草剤の有害な影響を低減させる。
【発明を実施するための形態】
【００１１】
本発明の植物は、農作物および園芸植物、灌木、樹木、ならびに草であってよく、以下、まとめて植物ということがある。
【００１２】
種子は、限定はされないが、トウモロコシ（Ｚｅａ  ｍａｙｓ）、アブラナ属の種（Ｂｒａｓｓｉｃａ  ｓｐ．）（例えば、セイヨウアブラナ（Ｂ．ｎａｐｕｓ）、カブ（Ｂ．ｒａｐａ）、セイヨウカラシナ（Ｂ．ｊｕｎｃｅａ））、アルファルファ（Ｍｅｄｉｃａｇｏ  ｓａｔｉｖａ）、コメ（Ｏｒｙｚａ  ｓａｔｉｖａ）、ライムギ（Ｓｅｃａｌｅ  ｃｅｒｅａｌｅ）、モロコシ（Ｓｏｒｇｈｕｍ  ｂｉｃｏｌｏｒ、Ｓｏｒｇｈｕｍ  ｖｕｌｇａｒｅ）、キビ（例えば、トウジンキビ（Ｐｅｎｎｉｓｅｔｕｍ  ｇｌａｕｃｕｍ）、キビ（Ｐａｎｉｃｕｍ  ｍｉｌｉａｃｅｕｍ）、アワ（Ｓｅｔａｒｉａ  ｉｔａｌｉｃａ）、シコクビエ（Ｅｌｅｕｓｉｎｅ  ｃｏｒａｃａｎａ））、ヒマワリ（Ｈｅｌｉａｎｔｈｕｓ  ａｎｎｕｕｓ）、ベニバナ（Ｃａｒｔｈａｍｕｓ  ｔｉｎｃｔｏｒｉｕｓ）、コムギ（Ｔｒｉｔｉｃｕｍ  ａｅｓｔｉｖｕｍ）、ダイズ（Ｇｌｙｃｉｎｅ  ｍａｘ）、タバコ（Ｎｉｃｏｔｉａｎａ  ｔａｂａｃｕｍ）、ジャガイモ（Ｓｏｌａｎｕｍ  ｔｕｂｅｒｏｓｕｍ）、ラッカセイ（Ａｒａｃｈｉｓ  ｈｙｐｏｇａｅａ）、綿（Ｇｏｓｓｙｐｉｕｍ  ｂａｒｂａｄｅｎｓｅ、Ｇｏｓｓｙｐｉｕｍ  ｈｉｒｓｕｔｕｍ）、サツマイモ（Ｉｐｏｍｏｅａ  ｂａｔａｔｕｓ）、カッサバ（Ｍａｎｉｈｏｔ  ｅｓｃｕｌｅｎｔａ）、コーヒー（Ｃｏｆｅａ  ｓｐｐ．）、ココナツ（Ｃｏｃｏｓ  ｎｕｃｉｆｅｒａ）、パイナップル（Ａｎａｎａｓ  ｃｏｍｏｓｕｓ）、カンキツ樹（Ｃｉｔｒｕｓ  ｓｐｐ．）、ココア（Ｔｈｅｏｂｒｏｍａ  ｃａｃａｏ）、チャ（Ｃａｍｅｌｌｉａ  ｓｉｎｅｎｓｉｓ）、バナナ（Ｍｕｓａ  ｓｐｐ．）、アボカド（Ｐｅｒｓｅａ  ａｍｅｒｉｃａｎａ）、イチジク（Ｆｉｃｕｓ  ｃａｓｉｃａ）、グアバ（Ｐｓｉｄｉｕｍ  ｇｕａｊａｖａ）、マンゴー（Ｍａｎｇｉｆｅｒａ  ｉｎｄｉｃａ）、オリーブ（Ｏｌｅａ  ｅｕｒｏｐａｅａ）、パパイヤ（Ｃａｒｉｃａ  ｐａｐａｙａ）、カシュー（Ａｎａｃａｒｄｉｕｍ  ｏｃｃｉｄｅｎｔａｌｅ）、マカダミア（Ｍａｃａｄａｍｉａ  ｉｎｔｅｇｒｉｆｏｌｉａ）、アーモンド（Ｐｒｕｎｕｓ  ａｍｙｇｄａｌｕｓ）、テンサイ（Ｂｅｔａ  ｖｕｌｇａｒｉｓ）、サトウキビ（Ｓａｃｃｈａｒｕｍ  ｓｐｐ．）、カラスムギ、オオムギ、野菜、観賞植物、針葉樹および落葉樹などの木本、スカッシュ、カボチャ、アサ、ズッキーニ、リンゴ、セイヨウナシ、マルメロ、メロン、セイヨウスモモ、サクランボ、モモ、ネクタリン、アンズ、イチゴ、ブドウ、キイチゴ、ブラックベリー、ダイズ、モロコシ、サトウキビ、ナタネ、クローバー、ニンジンおよびシロイヌナズナ（Ａｒａｂｉｄｏｐｓｉｓ  ｔｈａｌｉａｎａ）などの作物または植物種の種子である。
【００１３】
一実施形態において、種子は、限定はされないが、トマト（Ｌｙｃｏｐｅｒｓｉｃｏｎ  ｅｓｃｕｌｅｎｔｕｍ）、レタス（例えば、レタス（Ｌａｃｔｕｃａ  ｓａｔｉｖａ））、グリーンビーンズ（Ｐｈａｓｅｏｌｕｓ  ｖｕｌｇａｒｉｓ）、リママメ（Ｐｈａｓｅｏｌｕｓ  ｌｉｍｅｎｓｉｓ）、エンドウ（Ｌａｔｈｙｒｕｓ  ｓｐｐ．）、カリフラワー、ブロッコリー、カブ、ダイコン、ホウレンソウ、アスパラガス、タマネギ、ニンニク、コショウ、セロリ、ならびにキュウリ（Ｃ．ｓａｔｉｖｕｓ）、カンタロープ（Ｃ．ｃａｎｔａｌｕｐｅｎｓｉｓ）およびマスクメロン（Ｃ．ｍｅｌｏ）などのククミス属（Ｃｕｃｕｍｉｓ）の仲間などの野菜種の種子である。
【００１４】
一実施形態において、種子は、限定はされないが、アジサイ（Ｍａｃｒｏｐｈｙｌｌａ  ｈｙｄｒａｎｇｅａ）、ハイビスカス（Ｈｉｂｉｓｃｕｓ  ｒｏｓａｓａｎｅｎｓｉｓ）、ペチュニア（Ｐｅｔｕｎｉａ  ｈｙｂｒｉｄａ）、バラ（Ｒｏｓａ  ｓｐｐ．）、アザレア（Ｒｈｏｄｏｄｅｎｄｒｏｎ  ｓｐｐ．）、チューリップ（Ｔｕｌｉｐａ  ｓｐｐ．）、ラッパズイセン（Ｎａｒｃｉｓｓｕｓ  ｓｐｐ．）、カーネーション（Ｄｉａｎｔｈｕｓ  ｃａｒｙｏｐｈｙｌｌｕｓ）、ポインセチア（Ｅｕｐｈｏｒｂｉａ  ｐｕｌｃｈｅｒｒｉｍａ）およびキクなどの観賞植物種の種子である。
【００１５】
一実施形態において、種子は、限定はされないが、タエダマツ（Ｐｉｎｕｓ  ｔａｅｄａ）、スラッシュマツ（Ｐｉｎｕｓ  ｅｌｌｉｏｔｉｉ）、ポンデローサマツ（Ｐｉｎｕｓ  ｐｏｎｄｅｒｏｓａ）、ロッジポールマツ（Ｐｉｎｕｓ  ｃｏｎｔｏｒｔａ）およびモントレーマツ（Ｐｉｎｕｓ  ｒａｄｉａｔａ）などの針葉樹のマツ類、ベイマツ（Ｐｓｅｕｄｏｔｓｕｇａ  ｍｅｎｚｉｅｓｉｉ）、ベイツガ（Ｔｓｕｇａ  ｃａｎａｄｅｎｓｉｓ）、シトカトウヒ（Ｐｉｃｅａ  ｇｌａｕｃａ）、セコイア（Ｓｅｑｕｏｉａ  ｓｅｍｐｅｒｖｉｒｅｎｓ）、モミ（Ａｂｉｅｓ  ａｍａｂｉｌｉｓ）およびバルサムモミ（Ａｂｉｅｓ  ｂａｌｓａｍｅａ）などのトドマツ類、ならびにベイスギ（Ｔｈｕｊａ  ｐｌｉｃａｔａ）およびアラスカシーダー（Ｃｈａｍａｅｃｙｐａｒｉｓ  ｎｏｏｔｋａｔｅｎｓｉｓ）などのスギ類などの針葉樹種の種子である。
【００１６】
一実施形態において、種子は、限定はされないが、マメおよびエンドウなどのマメ科植物種の種子である。マメには、グアー、イナゴマメ、コロハ、ダイズ、ニワマメ、ササゲ、リョクトウ、リママメ、ソラマメ、ヒラマメ、ヒヨコマメ、、エンドウ、モスビーン、ソラマメ、インゲンマメ、ヒラマメ、ドライビーンなどが含まれる。マメ科植物としては、限定はされないが、ラッカセイ属（Ａｒａｃｈｉｓ）、例えばラッカセイ、ソラマメ属（Ｖｉｃｉａ）、例えばクラウンベッチ、ヘアリベッチ、アズキ、リョクトウおよびヒヨコマメ、ハウチワマメ属（Ｌｕｐｉｎｕｓ）、例えばハウチワマメ、トリフォリウム属（ｔｒｉｆｏｌｉｕｍ）、インゲンマメ属（Ｐｈａｓｅｏｌｕｓ）、例えばインゲンマメおよびリママメ、エンドウ属（Ｐｉｓｕｍ）、例えばフィールドビーン、シナガワハギ属（Ｍｅｌｉｌｏｔｕｓ）、例えばクローバー、ウマゴヤシ属（Ｍｅｄｉｃａｇｏ）、例えばアルファルファ、ミヤコグサ属（Ｌｏｔｕｓ）、例えばシロツメクサ、レンズマメ属（ｌｅｎｓ）、例えばヒラマメ、ならびにイタチハギが挙げられる。本明細書に記載の方法で使用する代表的なイネ科の牧草および芝としては、限定はされないが、アルファルファ、オーチャードグラス、トールフェスク、ペレニアルライグラス、クリーピングベントグラス、ムラサキウマゴヤシ、ミヤコグサ、クローバー、マメ科牧草スタイロ種、マメ科牧草ロトノニス、イガマメおよびレッドトップが挙げられる。他の草種としては、限定はされないが、オオムギ、コムギ、カラスムギ、ライムギ、オーチャードグラス、ギニアグラス、モロコシまたは芝植物が挙げられる。
【００１７】
他の実施形態においては、種子は、次の作物または野菜、トウモロコシ、コムギ、モロコシ、ダイズ、トマト、カリフラワー、ダイコン、キャベツ、キャノーラ、レタス、ライグラス、草、コメ、綿、ヒマワリなど、から選択される。
【００１８】
用語「種子」または「実生苗」は、特定、または特別の種類の種または種子に限定されないと理解される。用語「種子」または「実生苗」は、単一の植物種からの種子、複数の植物種からの種子の混合物、または、ある植物種内の各種系統の種子をブレンドしたものを指すことができる。一実施形態において、作物の種子としては、限定はされないが、コメ、トウモロコシ、コムギ、オオムギ、カラスムギ、ダイズ、綿、ヒマワリ、アルファルファ、モロコシ、ナタネ、テンサイ、トマト、マメ、ニンジン、タバコまたは花の種子が挙げられる。
【００１９】
本発明の組成物は、１種以上のカチオン性グアーを含み得る。本発明のカチオン性グアーは、例えば第四級アンモニウム塩群などの、種々の可能性のあるカチオン性エーテル化剤を使用して得られ得るカチオン性グアーを含み得る。
【００２０】
したがって、カチオン性グアーの場合に、カチオン基は、水素、１〜２２個の炭素原子、特に１〜１４個の、有利には１〜３個の炭素原子を含有するアルキル基から選択される、同一であっても異なっていてもよい、３つの基を有する四級アンモニウム基であり得る。対イオンは一般にハロゲンであり、一実施形態では、塩素である。
【００２１】
第四級アンモニウム塩は、例えば、３−クロロ−２−ヒドロキシプロピルトリメチルアンモニウムクロリド（ＣＨＰＴＭＡＣ）、２，３−エポキシプロピルトリメチルアンモニウムクロリド（ＥＰＴＡＣ）、およびジアルキルジメチルアンモニウムクロリド（ＤＭＤＡＡＣ）であり得る。
【００２２】
これらのカチオン性グアー誘導体中の、典型的なカチオン性官能基は、対イオンを有するトリメチルアミノ（２−ヒドロキシル）プロピルである。限定はされないが、塩化物、フッ化物、臭化物およびヨウ化物などのハロゲン化物、硫酸塩、硫酸メチルおよびこれらの混合物などの、各種対イオンを使用することができる。
【００２３】
本発明のカチオン性グアーは、
−  カチオン性ヒドロキシエチルグアー（ＨＥグアー）、カチオン性ヒドロキシプロピルグアー（ＨＰグアー）、カチオン性ヒドロキシブチルグアー（ＨＢグアー）などのカチオン性ヒドロキシアルキルグアー、ならびに
−  カチオン性カルボキシメチルグアー（ＣＭグアー）、カチオン性カルボキシルプロピルグアー（ＣＰグアー）およびカチオン性カルボキシルブチルグアー（ＣＢグアー）などのカチオン性アルキルカルボキシグアー、カルボキシメチルヒドロキシプロピルグアー（ＣＭＨＰグアー）などのカチオン性カルボキシルアルキルグアー
からなる群から選択し得る。
【００２４】
より好ましくは、本発明のカチオン性グアーは、ヒドロキシプロピルトリモニウムクロリドグアーである。
【００２５】
カチオン性グアーのヒドロキシアルキル化の程度（モル置換、またはＭＳ）、すなわちグアーに存在するフリーのヒドロキシル官能基の数によって消費されたアルキレンオキサイド分子の数は、０〜３、好ましくは０〜１．７であり得る。例を挙げれば、ＭＳが１であることは、モノサッカリド１単位当たりのエチレンオキサイド単位が１であることを示し得る。
【００２６】
カチオン性グアーの置換度（ＤＳ）、すなわち、モノサッカリド１単位当たりの、カチオン性基により置換された水酸基の平均数は、０．００５〜３、好ましくは０．０１〜２であり得る。ＤＳはモノサッカリド１単位当たりのカルボキシメチル基の数を明確に示し得る。ＤＳは滴定により明確に測定し得る。
【００２７】
カチオン性グアーの電荷密度（ＣＤ）は、０．１〜２ｍｅｑ／ｇ、好ましくは０．４〜１ｍｅｑ／ｇであり得る。電荷密度とは、ポリマーを構成しているモノマー単位の分子量に対する前記モノマーの正電荷数の比をいう。ポリマー分子量を乗じた電荷密度が、所与のポリマー鎖上の正電荷を持った部位の数を決定する。
【００２８】
カチオン性グアーは、約１００，０００ダルトン〜３，５００，０００ダルトン、好ましくは５００，０００ダルトン〜３，５００，０００ダルトンの平均分子量（Ｍｗ）を有し得る。
【００２９】
種子コーティング組成物はまた、バインダーを含んでもよい。バインダー（または任意の層）は、糖蜜、グラニュー糖、アルギン酸塩、カラヤガム、ジャガーガム、トラガカントガム、ポリサッカリドガム、ゴム糊、ゼラチン、ポリビニルアセテート、ポリビニルアセテートコポリマー、ポリビニルアルコール、ポリビニルアルコールコポリマー、スチレンアクリレートポリマー、スチレンブタジエンポリマー、セルロース（エチルセルロースおよびメチルセルロース、ヒドロキシプロピルセルロース、ヒドロキシメチルセルロース、ヒドロキシメチルプロピルセルロースなど）、ポリビニルピロリドン、デキストリン、マルトデキストリン、ポリサッカリド、脂肪、オイル、タンパク質、アラビアゴム、シェラック、ビニリデンクロリド、ビニリデンクロリドコポリマー、リグノスルホン酸カルシウム、アクリル系コポリマー、デンプン、誘導デンプン、ポリビニルアクリレート、ゼイン、カルボキシメチルセルロース、キトサン、ポリエチレンオキサイド、アクリルイミドポリマーおよびコポリマー、ポリヒドロキシエチルアクリレート、メチルアクリルイミドモノマー、アルギン酸塩、エチルセルロース、ポリクロロプレン、シロップ、またはこれらの任意の組み合わせであり得る。
【００３０】
他の実施形態においては、種子コーティング組成物は、少なくとも１種の活性成分を含有する。活性成分は、除草剤、植物生長調節剤、作物防湿剤、防カビ剤、殺菌剤、静菌薬、殺虫剤、虫よけ剤、トリアジン系除草剤、スルホニルウレア系除草剤、ウラシル、尿素系除草剤、アセトアニリド系除草剤、有機ホスホン酸系除草剤、グリフォセート塩、グリフォセートエステル、ニトロオキシム系防カビ剤、イミダゾール系防カビ剤、トリアゾール系防カビ剤、スルフェンアミド系防カビ剤、ジチオカルバメート防カビ剤、塩素化芳香族化合物、ジクロロアニリン系防カビ剤、カルバメート系殺虫剤、有機チオホスフェート系殺虫剤、過塩素化有機殺虫剤、メトキシクロル、殺ダニ剤、亜硫酸プロピニル、トリアザペンタジエン系殺ダニ剤、塩素化芳香族殺ダニ剤、テトラジホン、ジニトロフェノール系殺ダニ剤、ビナパクリル、またはこれらの混合物、の１種以上であり得る。
【００３１】
本発明の一実施形態においては、播種組成物は、少なくともカチオン性グアーおよび植物用生物刺激剤を含む。通常、植物用生物刺激剤は、葉面に散布したとき、または土壌に添加したときに、植物の生長および／または代謝に影響する肥料以外の成分である。一般に、植物用生物刺激剤は、ホルモン含有製品、アミノ酸含有製品およびフミン酸含有製品の３つの分類の１つに入る。植物用生物刺激剤は、例えば、それらが成長速度を促進し、有害植物の成長を抑制し、ストレス耐性を増大させ、光合成速度を増大させ、かつ耐病性を増大させる能力を有することを考慮して、ある商業的環境において作物処理のために使用される。一般に、植物用生物刺激剤は、植物ホルモンを上方制御または下方制御することにより作用すると考えられている。
【００３２】
種子コーティング組成物はまた、顔料、アジュバント、界面活性剤および／または肥料を含有してもよい。
【００３３】
種子コーティング組成物は、液体または固体組成物、特に粉末であり得る。適当なコーティング手法を用いて、種子、または種子の凝集体に、本明細書に記載の種子コーティング組成物をコーティングし得る。コーティングに使用し得る装置としては、ドラムコーティング装置、回転式コーティング装置、回転ドラム、流動層および噴流層を挙げ得るが、特に限定はされず、任意の適切な装置または手法を使用し得る。種子は、バッチ式または連続式コーティング法によりコーティングし得る。
【００３４】
一実施形態においては、種子は、篩などの機械的手段を用いて、コーティングの前に分離することができる。その後、分離した種子を、種子貯蔵器を備えたコーティング機に供給することができる。一実施形態においては、混合容器中の種子を、本明細書に記載の１種以上のコーティング剤と混合して、バインダーまたは接着剤を付着させる。
【００３５】
本方法の一実施形態においては、種子または凝集体をコーティングするために、１つ以上の層を加えることができる。外側の層を、順次、回転ドラムに供給することができる。
【００３６】
他の実施形態では、凝集機または凝集装置を使用してもよい。回転式コーティング装置では、コーティングは、回転チャンバー内に種子を入れることにより行われ、そこでは種子はチャンバーの内壁に押し付けられる。遠心力とコーティング装置の内部に設けられた混合棒により、種子が回転し、コーティング層と混合される。バインダーまたは他のコーティング材料は、コーティング装置のほぼ中心の、コーティングチャンバーと共に回転するアトマイザーディスク上に供給することができる。アトマイザーディスクに衝突すると、液体接着剤は、微小液滴となって外側に向かい、種子の上に導かれる。
【００３７】
一実施形態において、種子コーティング手法は、例えば、回転パンまたはドラム中の種子を含む。その後、種子に水または他の液体を噴霧し、その後、不活性微粉末、例えば珪藻土を徐々にコーティングパンに加える。噴霧された各種子は、大きさが徐々に増す粉末、層またはコーティングの塊の中心になる。この塊は、浜辺の小石と同様、パン中での転動動作により、丸くなり、平滑化される。コーティング層は、パン中の材料の重みによる圧縮力により圧縮される。バインダーは多くの場合、コーティング過程の終わり近くで加えられ、方塊の外層を硬くする。バインダーはまた、取扱い、輸送および播種中における最終製品からの粉塵の発生量を減らすことができる。よく行われる手動式篩い分けなどの篩い分け手法は、空のものまたは二重のものを除去し、一様な大きさを確保するためにしばしば用いられる。例えば、本明細書に記載の種子コーティング組成物の許容誤差は、±１／６４インチ（０．４ｍｍ）とし得るが、これは、コーティングが導入されるかなり以前に制定された、ＵＳにおける種子取引の大きさの標準である。例えば、コーティングされたレタスの種子は、ベルト式播種機を用い、ベルト上の直径１３／６４インチの円形の穴を通して播種されることが最も多い。この穴径は、レタスの種子を含む種子コーティング組成物が７．５／６４インチの篩上で、かつ８．５／６４インチの篩下により分けられることを要求する。
【００３８】
他の実施形態においては、本明細書に記載の種子コーティング組成物および方法は、「その場コーティング」を含む。その場コーティングは、一実施形態では、生の、すなわちコーティングされていない種子が地面の穴に埋められた後、直ちに、または間もなく、種子を囲むように、または部分的に囲むように、コーティング組成物を穴に直接散布、または施すことを意味する。本発明において、穴は、特に、穴、空洞または凹み領域であり得る。通常、播種およびコーティング組成物の散布は機械的に行われるが、言及した両処理の一方、または両方は手作業でも行い得ると理解される。
【００３９】
ここで、以下の限定されない実施例により、本発明をさらに詳しく説明する。
【実施例】
【００４０】
これらの実験では、適宜、グアーベースの添加物を使用する。
【００４１】
2018075023.tif 000002
【００４２】
実施例１：ハクサイの生長促進
ブラッシカ・キネンシス（Ｂｒａｓｓｉｃａ  ｃｈｉｎｅｎｓｉｓ）（ハクサイ）の種子の表面に、０．４重量％の添加剤の水溶液を散布し、添加剤／種子の重量比０．２％を得る。各ポットに５０ｇの用土を使用する。この用土はＳｈａｎＸｉ省のものであり、粘土質土壌に属する。水１０ｍＬを２日に１回という水やり条件の下、温度２５℃で発芽試験を行う。
【００４３】
2018075023.tif 000003
【００４４】
発芽率は、用土中に埋めた全数に対する、用土から出芽した植物の数を意味する。高さは、１セットの全植物の中位の高さである。
【００４５】
その結果、ブランク処理と比較して、植物の発芽率のみならず、生長速度も増大するようである。したがって、発芽が早期に生じ、その結果、より多くの時間、植物を生長させる。
【００４６】
実施例２：コムギの種子に対する生長促進
コムギの種子の表面に１重量％の添加剤の水溶液を散布し、添加剤／種子の重量比０．４％を得る。各ポットに９００ｇの用土を使用する。この用土はＳｈａｎＸｉ省のものであり、粘土質土壌に属する。水１０ｍＬを２日に１回という水やり条件下、温度２５℃で発芽試験を行う。
【００４７】
2018075023.tif 000004
【００４８】
その結果、本発明の種子処理は、コーティング処理を施さない種子と比較して、発芽率を増大させるのみならず、発芽を早期に加速させるようである。
【００４９】
実施例３：殺虫剤処理を施したコムギの種子に対する生長促進
コムギの種子の表面に、０．４重量％のグアー１および０．４重量％のテブコナゾール添加剤を含む水溶液を散布し、グアー１／種子の重量比０．２％およびテブコナゾール／種子の重量比０．１％を得る。各ポットに９００ｇの用土を使用する。この用土はＳｈａｎＸｉ省のものであり、粘土質土壌に属する。水２５ｍＬを２日に１回という水やり条件下、温度２５℃で発芽試験を行う。
【００５０】
2018075023.tif 000005
【００５１】
その結果、ブランク処理と比較して、植物の発芽率のみならず、植物の高さを増大させる生長速度も増すようである。また、カチオン性グアーが含まれることにより、植物の発芽率および生長に有害な殺菌剤の影響が部分的に低減されるようである。
【００５２】
実施例４：コムギの種子の生長促進に対するカチオン性グアー
０．４％の添加剤溶液を撹拌しながら種子に散布する。添加剤／種子の重量比は０．２％である。室温で種子を５日間乾燥する。その後、それらをＳｈａｎＸｉ省の土壌中に、１ｍｍ深さに播く。２ｍｍ／日の水やり条件下、夜間温度２５℃、昼間温度３２℃で発芽試験を行う。
【００５３】
2018075023.tif 000006
【００５４】
その結果、ブランク処理と比較して、植物の発芽率のみならず、植物の高さを増大させる生長速度も増すようである。
【００５５】
実施例５：カチオン性グアーの畑での結果
ダイズの種子に、バインダーの助けを借りて粉末添加剤をコーティングした。添加剤／種子の重量比は０．２％である。それらを、仏国のｄ’Ａｖｅｒｄｏｎの畑に播いた。
【００５６】
収穫時期が完全に終了した後、３０ｍｍ／回の灌水試験。自然の降雨に加えて、植物が水不足の兆候を示したときに毎回、十分な灌水を行うために３０ｍｍの灌水を行った。
【００５７】
2018075023.tif 000007
【００５８】
収穫時期が完全に終了した後、１５ｍｍ／回の灌水試験。自然の降雨に加えて植物が水不足の兆候を示したときに毎回、不十分な灌水を行うために１５ｍｍの灌水を行った。
【００５９】
2018075023.tif 000008
【００６０】
ブランク処理と比較して、植物の発芽率が増大するのみならず、莢の数、穀粒の重さおよび大きさ、根の長さ、および栽培された植物の全体の収量も増大するようである。
【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
植物の生長を増大させる方法であって、少なくともカチオン性グアーを含む組成物で前記植物の種子をコーティングする、少なくとも１つの工程を含み、
カチオン性グアーは、０．００５〜３の置換度を有し、約１００，０００ダルトン〜３，５００，０００ダルトンの平均分子量を有する、方法。
【請求項２】
少なくとも次の工程：
ａ）少なくともカチオン性グアーを含む組成物で植物の種子をコーティングする工程、および
ｂ）コーティングした種子を土壌の上または中に播く工程
を含む、請求項１に記載の方法。
【請求項３】
少なくとも次の工程：
ａ）生の、またはコーティングされていない種子を土壌の穴に埋め込む工程、および
ｂ）少なくともカチオン性グアーを含むコーティング組成物を、前記種子を囲むように、または部分的に囲むように前記穴の中へ施す工程
を含む、請求項１に記載の方法。
【請求項４】
種子は、トウモロコシ、コムギ、モロコシ、ダイズ、トマト、カリフラワー、ダイコン、キャベツ、キャノーラ、レタス、ライグラス、草、コメ、綿およびヒマワリからなる群から選択される、請求項１〜３のいずれか一項に記載の方法。
【請求項５】
カチオン性グアーは、カチオン性エーテル化剤を使用して得られる、請求項１〜４のいずれか一項に記載の方法。
【請求項６】
カチオン性グアーは、カチオン性エーテル化剤として第四級アンモニウム塩を使用して得られる、請求項１〜５のいずれか一項に記載の方法。
【請求項７】
第四級アンモニウム塩は、３−クロロ−２−ヒドロキシプロピルトリメチルアンモニウムクロリド、２，３−エポキシプロピルトリメチルアンモニウムクロリド、およびジアルキルジメチルアンモニウムクロリドからなる群から選択される、請求項６に記載の方法。
【請求項８】
カチオン性グアーは、
−  カチオン性ヒドロキシエチルグアー（ＨＥグアー）、カチオン性ヒドロキシプロピルグアー（ＨＰグアー）、カチオン性ヒドロキシブチルグアー（ＨＢグアー）などのカチオン性ヒドロキシアルキルグアー、ならびに
−  カチオン性カルボキシメチルグアー（ＣＭグアー）、カチオン性カルボキシルプロピルグアー（ＣＰグアー）およびカチオン性カルボキシルブチルグアー（ＣＢグアー）などのカチオン性アルキルカルボキシグアー、カルボキシメチルヒドロキシプロピルグアー（ＣＭＨＰグアー）などのカチオン性カルボキシルアルキルグアー
からなる群から選択される、請求項１〜７のいずれか一項に記載の方法。
【請求項９】
カチオン性グアーは、ヒドロキシプロピルトリモニウムクロリドグアーである、請求項１〜８のいずれか一項に記載の方法。
【請求項１０】
前記種子コーティング組成物はまた、バインダーを含む、請求項１〜９のいずれか一項に記載の方法。
【請求項１１】
前記種子コーティング組成物はまた、活性成分を含む、請求項１〜１０のいずれか一項に記載の方法。
【請求項１２】
前記種子コーティング組成物はまた、植物用生物刺激剤を含む、請求項１〜１１のいずれか一項に記載の方法。
【外国語明細書】
2018075023000001.pdf